(57)【要約】 【課題】  普段は通常のアンダーウェアと変わりなく着用でき、トイレ使用時には、片手で持ち続けたりしなくてもよいように、スカート、ズボン、着物等の衣服下半身部の裾を収納できるアンダーウェア及びこれに好適な裾径収縮用テープを提供する。【解決手段】  引張ることによって裾径を収縮することができる調節紐が、裾に周設されたアンダーウェアで、調節紐は、裾に周設されたテープにとりつけられていてもよいし、裾を折り返して袋仕上げされている袋部分に通されていてもよい。衣服下半身部の裾を巻き込むようにして、アンダーウェアの裾をまくり上げ、調節紐で裾径を収縮して衣服下半身部の裾をアンダーウェアのまくり上げで形成される収納部に収納する。【選択図】  図１
2006207077.tif 000002
【特許請求の範囲】
【請求項１】
引張ることによって裾径を収縮することができる調節紐が、裾に周設されている衣服下半身部の裾収納用アンダーウェア。
【請求項２】
前記調節紐は、裾に周設されたテープにとりつけられている請求項１に記載のアンダーウェア。
【請求項３】
前記調節紐は、裾を折り返して袋仕上げされてなる袋部分に通されている請求項１に記載のアンダーウェア。
【請求項４】
前記紐には、裾径が収縮した状態を保持するためのストッパーが取り付けられている請求項１〜３のいずれかに記載のアンダーウェア。
【請求項５】
衣服下半身部のアンダーウェアの裾を、必要に応じて収縮するために、該アンダーウェアの裾に周設されるテープであって、
該テープの長手方向に、所定間隔毎に紐通し部が設けられていて、
該紐通し部に、非伸縮性の紐が通されている裾径収縮用テープ。
【発明の詳細な説明】
【技術分野】
【０００１】
本発明は、キュロットスカートやパンツ等のズボン類；ウエストではくスカートの他、ワンピースドレスやジャンパースカートなどの下半身を覆う腰衣としてのスカート類；和服としての着物等の衣服下半身部のアンダーダーウェアとして着用され、特にトイレなどでスカート等の衣服下半身部の裾の収納が必要になる場合に備えて着用される衣服下半身部の裾収納用アンダーウェアに関する。
【背景技術】
【０００２】
丈の長いスカートやワンピースドレスを着用している場合、トイレ使用時には、これらの裾をまくりあげ、まくりあげた裾が使用時にこぼれ落ちて便器や床についたりしないように、持っておかなければならない。このような動作、行為は、健常者であれば、それほど難しいものではないが、手が不自由な人や老人にとっては、簡単な動作ではない。このため、要介助者のトイレ使用時には、これらの衣服下半身部がトイレ使用時に汚れないように、介助者がスカートの裾を持っておくということも行なわれている。このような介助は、介助される側にとってもする側にとっても煩わしいことである。
【０００３】
また、キュロットスカートやズボンの場合には、ウエストからおろすときに、適度な位置で保持するようにしないと、床にまでずり落ちてしまうので、健常者であっても面倒と感じることが少なくない。さらに、イブニングドレスや和服としての着物のように、裾丈が長く、まくり上げて束ねた裾ボリュームが大きくなるような衣服の場合には、健常者といえども、衣服下半身部の裾束を持ち続けることは大変で、トイレに行くのをためらう要因となっている。
【０００４】
従って、トイレ使用時に、片手で持ち続けなくても、スカートの裾やズボンの裾がずり落ちて、床についたり、便器にこぼれ落ちたりしないように、衣服下半身部を処理したいという要求は、要介助者に限らず、健常者であっても、少なくない。
【０００５】
このような事情から、トイレ使用時に、キュロットスカート、ワイドパンツ等のズボン類、スカート類、和服としての着物等の衣服下半身部の裾を収納しておくことができる工夫を凝らした衣服やトイレが種々提案されている。
【０００６】
例えば、特許文献１では、キュロットスカートや裾幅広いパンタロンについて、ウエストの内側の前と後ろにゴムとゴムを止めるボタンを取付け、トイレ使用時には、ゴムをボタンにかけて形成される輪の中に裾をいれて、裾が床に落ちることを防止することが提案されている。しかし、ゴムをボタンにかけて、輪を作るといった高度の操作は、面倒なだけでなく、手が不自由な者にとっては、到底、一人でできる操作ではなく、結局、介助者の助けが必要となる。
【０００７】
また、特許文献２には、ズボンタイプの衣服下半身部を、ウエストからおろした際に収納するショートパンツ型の収納衣として、ずり落ち防止のために股下部の裾をゴムで絞ったパンツ型の衣服が提案されている。この収納衣は、トイレ使用時に衣服下半身部の上から着用し、このパンツ型収納衣の中に、ウエストからおろしたズボンを収納して使用する。しかし、トイレ使用時にわざわざこのような収納衣を着用することは面倒であり、手が不自由な者にとって、トイレ使用の度に新たな衣服を着用すること自体が介助を必要とすることになる。またスカートや着物のように、トイレ使用時にまくり上げるタイプの衣服下半身部の収納には適用できない。
【０００８】
特許文献３では、洋式トイレ使用時におろしたズボンを収納するための収納器をトイレ使用時に膝下に設置することが提案されている。しかし、このような収納器を、わざわざトイレ使用の度に設置するということは、健常者にとっては、使用時に衣類を持っておくこと以上に煩わしい作業であり、このような用具に頼ることを望まないのが通常である。
【０００９】
【特許文献１】特開平８−３０２５０８号
【特許文献２】特開平８−７４１０７号
【特許文献３】特開平８−５２０９８号
【発明の開示】
【発明が解決しようとする課題】
【００１０】
本発明は、以上のような事情に鑑みてなされたものであり、その目的は、要介助者だけでなく、健常者であっても着用できるように、普段は通常のアンダーウェアと変わりなく着用でき、トイレ使用時には、片手で持ち続けたりしなくてもよいように、スカート類やズボン類、着物等の衣服下半身部の裾を収納できるアンダーウェア及びこれに好適な裾径収縮用テープを提供することにある。
【課題を解決するための手段】
【００１１】
本発明の衣服下半身部の裾収納用アンダーウェアは、引張ることによって裾径を収縮することができる調節紐が、裾に周設されているものである。
【００１２】
前記調節紐は、裾に周設されたテープにとりつけられていてもよいし、裾を折り返して袋仕上げされてなる袋部分に通されていてもよい。
【００１３】
前記調節紐には、裾径が収縮した状態を保持するためのストッパーが取り付けられていることが好ましい。
【００１４】
本発明の裾径収縮用テープは、衣服下半身部のアンダーウェアの裾を、必要に応じて収縮するために、該アンダーウェアの裾に周設されるテープであって、該テープの長手方向に、所定間隔毎に紐通し部が設けられていて、該紐通し部に、非伸縮性の紐が通されているものである。
【００１５】
尚、本明細書にいうアンダーウェアは、衣服の下に着用する下着類の他、衣服表地に取り付けられた裏地、衣服表地と別体として使用される裏地を含む概念である。
【発明の効果】
【００１６】
本発明の衣服下半身部の裾収納用アンダーウェアは、トイレ使用時には、折り返してわをつくり、紐を引張るだけという簡単な操作で裾径を収縮して、スカートやズボン、着物等の衣服下半身部の裾を収納する収納部を形成することができる。しかも、アンダーウェアの収納部の形成及び該収納部への衣服下半身部の裾収納は、アンダーウェアを衣服下半身部とともにまくり上げるだけの操作でよいので、便利である。しかもトイレ使用時以外には、通常のアンダーウェアとして着用しておくことができるので、特別な介助服を着用しているという意識もなく、健常者であっても抵抗なく手軽に着用できる。
【発明を実施するための最良の形態】
【００１７】
本発明の衣服下半身部の裾収縮用アンダーウェアの一実施形態を、図１及び図２に基づいて説明する。
【００１８】
図１に示すアンダーウェア１０は、スカートのアンダーウェアとして着用するペチコートタイプアンダーウェアである。
裾には、裾径を収縮させることができる調節紐３を備えた裾径収縮用テープ１が周設されている。
【００１９】
この裾径収縮用テープ１は、図２に示すように、テープ状レース２の長手方向に所定間隔毎に設けられた紐通し部２ａに、調節紐３となるリボンを通したものである。
【００２０】
調節紐３は、両端がストッパー４の貫通孔４ａに通されて、蝶々状結び目５を形成し、さらに結び目５を縫製等により固定することにより、調節紐３がストッパー４の貫通孔４ａから抜けないようにされている。
【００２１】
調節紐３は、一カ所引張ったときに、レース２の表面をすべっていくように、低摩擦性の素材（例えばポリエステル、ナイロン、シルクなど）で構成されたものが好ましく用いられる。また、引張ったときに、レース２の表面をすべることができるように、ゴムのような伸縮性を有しない非伸縮性素材で構成されていることが好ましい。
【００２２】
このような構成を有する裾径収縮用テープ１は、ストッパー４を掴んで引張ると、調節紐３がレース２の表面を滑って引張られていくことにより、レース２上に存在する調節紐３の長さが短くなることに基づいて、テープ１がギャザーをよせた状態（収縮状態）となる。調節紐３が元の伸びた状態にもどらないように、ストッパー４をレース２表面の根本にまでスライドさせて、ギャザーがよった状態（収縮状態）を固定することができる。このようにして、テープ１は、調節紐３たるリボンを引張ることにより、テープ１全体が収縮された状態に変化させることができる。
【００２３】
このような構成を有する裾径収縮用テープ１が、アンダーウェアの裾ブレードとして、裾表面側に周設されたのが、図１に示すアンダーウェア１０である。
【００２４】
周設は、通常、縫製により裾にテープ１を取り付けることにより行なわれるが、テープ１の種類、素材によっては、熱接着等によって取り付けてもよい。
【００２５】
アンダーウェア１０は、調節紐３の作用、すなわちストッパー４を掴んで調節紐３たるリボンを引張ることによりテープ１を収縮状態にすると、アンダーウェアの円形の裾の直径（裾径）が小さくなる。すなわち、裾がすぼんだ状態となる。
【００２６】
次に、図１のアンダーウェア１０を衣服下半身部としてのスカートの下に着用して、スカート裾を収納する方法について、図３に基づいて説明する。
【００２７】
トイレ使用時のように、衣服下半身部の裾を収納する必要がある場合、アンダーウエア１０の裾をもって、アンダーウェア１０の上に着用しているスカート２０の裾を巻き込むようにして、アンダーウェア１０をまくり上げる。アンダーウェア１０の折り返しのわの部分で形成される収納部１１に、着用しているスカート２０の裾を収納した後、アンダーウェア１０の調節紐３を引張って、裾収縮状態とする。これにより、スカート２０の裾が安定的にアンダーウェア１０のまくり上げで形成された収納部１１に収納されたことになる。このような状態であれば、洋式トイレの便座にすわったり、用を足して立ち上がるときにも、スカート２０の裾が便器の中に落ちたりすることがない。また、和式トイレの場合には、スカート２０の裾等をまとめて持たなくても、トイレの床に落ちたりすることはない。さらに、アンダーウェア１０の裾収縮状態は、ストッパー４の作用により保持されているので、トイレ使用時には両手があくことになる。従って、片手が不自由な人にとっては、介助者等がいなくても、一人で所用を足すことが可能となる。
【００２８】
また、本発明の裾収納用アンダーウェアは、要介助者にかぎらず、健常者にとっても有用である。例えば、マキシ丈スカートやイブニングドレス、ウェディングドレスあるいは着物のように、裾の分量が多いスカート又は裾が床にこすれる程度にまで丈が長いスカート、又はドレスや着物を着用している場合、トイレ使用時だけでなく、トイレ内での便器までの移動に際しても、衣服下半身部の裾が床にこすれないように、裾の始末に細心の注意が必要となる。このような場合、ペチコートとして、本発明のアンダーウェアを着用することにより、裾を気にすることなく、トイレ内を移動し、用を足すことができる。特に、裾径収縮用テープの基体テープとして豪華なレースを用い、調節紐にシルクやサテンのリボンを使用することにより、デザイン的にファオーマルな場で着用していていも違和感がないので、健常者、要介助者、老人といった区別なく、利用できるものとなる。
【００２９】
尚、上記実施態様では、レース様テープを使用して、アンダーウェアの裾に取付けたが、アンダーウェアの裾自体に所定間隔毎に紐通し部となる切り込みがはいっていて、この紐通し部に調節紐が直接通されていてもよい。また、図４に示すように、アンダーウェアの裾を折り返し、一カ所の開口部分（紐通し口）６を残して、裾線を縫うことにより、連続した袋状の紐通し部７を形成し、紐通し口６から紐通し部７に調節紐３を通したものであってもよい。紐通し口６には、調節紐３の末端に取り付けられたストッパーが位置することにより、該ストッパー４’を掴み部として調節紐３を引張って、裾径を収縮させることができる。
【００３０】
また、上記実施態様では、衣服下半身部としてスカートの場合を説明したが、本発明のアンダーウェアはキュロットスカートやパンツ等のズボン類の裾収納用アンダーウェアにも適用できる。キュロットスカートやパンツの中にはくズボン型のアンダーウェアとし、その裾部分に、図２のようなテープを周設したり、あるいはアンダーウェアの裾自体に、直接、調節紐を通すことによって、アンダーウェアの裾径を収縮できるようにすればよい。パンツやキュロットスカートの左右の股下部を、ズボン型アンダーウェアのまくり上げにより形成される左右の収納部に収納し、収納部をアンダーウェアの裾収縮状態で固定することにより、左右の股下部、さらにはズボン全体がずり落ちたりして、床についたりすることを防止できる。これらのアンダーウェアは、衣服の下着として着用するものであってもよいし、衣服表地に対して裏地として用いられているものであってもよく、裏地の場合には衣服表地に縫いつけられているものの他、別体として着用する裏地であってもよい。また、本発明のアンダーウェアは、洋服の下に着用する下着としてのアンダーウェアに限らず、蹴出しや長襦袢のように和装着物の肌着として着用されるアンダーウェアにも適用できる。
【００３１】
さらに、図２の裾径収縮用テープでは、バネ付勢を利用して紐体の移動を阻止するタイプのストッパーを使用したが、本発明で用いられるストッパーはこれに限定しない。単に紐を通す貫通孔を設けただけのものであってもよい。紐が自然にすべったりすることのない材料で構成されたものであれば、ストッパーとしての役目を果たすことができる。尚、図４に示すアンダーウェアに用いられているストッパー４’は、調節紐３を通す貫通孔を設けただけのストッパーの一例である。
【００３２】
またさらに、ストッパーを備えていなくてもよい。例えば、掴み部となる部分だけが形成された閉ループ状の調節紐が、裾に周設されているだけでもよい。この場合、掴み部を引張って、裾径を収縮した後は、引張った状態で、紐を片手に持っただけで、裾収納部を形成することができる。
【図面の簡単な説明】
【００３３】
【図１】本発明のアンダーウェアの一実施形態を示す図である。
【図２】本発明のテープの一実施形態を示す図である。
【図３】本発明のアンダーウェアの使用状態を説明するための図である。
【図４】本発明のアンダーウェアの他の実施形態の裾部分を示す図である。
【符号の説明】
【００３４】
１  裾径収縮用テープ
２  テープ状レース
２ａ  紐通し部
３  調節紐
４，４’  ストッパー
５  結び目
１０  裾収納用アンダーウェア
１１  収納部
２０  スカート
【図１】
2006207077.tif 000003
【図２】
2006207077.tif 000004
【図３】
2006207077.tif 000005
【図４】
2006207077.tif 000006